(57)【要約】【課題】滑り止めを備えるとともに筐体に設けられた孔を目立たなくできる電子機器を提供する。【解決手段】本発明の一つの形態に係る電子機器１は、筐体１０を具備する。筐体１０は、第１の端部１４を有する。筐体１０は、下部カバー１２と、下部カバー１２を覆う上部カバー１１と、凹面４１と、複数の突出部４２とを備える。下部カバー１２は、筐体１０が置かれる載置面Ｓに対向する底面３３と、底面３３から第１の端部１４に亘って設けられるとともに第１の端部１４に向かうに従って載置面Ｓから離間する傾斜面３４とを有する。凹面４１は、傾斜面３４から窪んで設けられるとともに、孔４４と複数の凹部６５とが設けられる。突出部４２は、凹面４１から突出する。凹部６５は、孔４４とともに格子状に配置される。【選択図】    図６
2011227736.tif 000002
【特許請求の範囲】
【請求項１】
第１の端部と、前記第１の端部の反対方向に位置する第２の端部と、前記第２の端部に設けられたヒンジ部とを有した筐体と、
前記ヒンジ部を介して前記筐体に連結されたディスプレイユニットと、
を具備し、
前記筐体は、
前記筐体が置かれる載置面に対向する底面と、前記底面から前記第１の端部に亘って設けられるとともに前記第１の端部に向かうに従って前記載置面から離間する傾斜面と、を有した下部カバーと、
前記下部カバーを覆う上部カバーと、
前記傾斜面から窪んで設けられるとともに、孔と、前記孔とともに格子状に配置された複数の凹部とが設けられた凹面と、
前記凹面から突出した複数の突出部と、
を備えたことを特徴とする電子機器。
【請求項２】
前記凹部は、前記孔と同じ断面形状を有したことを特徴とする請求項１に記載の電子機器。
【請求項３】
前記突出部の先端は前記傾斜面よりも前記筐体の内側に位置したことを特徴とする請求項１に記載の電子機器。
【請求項４】
前記筐体に収容されたスピーカをさらに具備し、
前記孔は、前記スピーカに対応する位置に設けられたことを特徴とする請求項１に記載の電子機器。
【請求項５】
外部に露出した外面を有した筐体と、
前記外面の一部に設けられた加工部と、
を具備し、
前記加工部は、前記筐体の外部に向かって突出した複数の突出部を有し、前記加工部から前記筐体の内部に亘る孔と、前記孔とともに格子状に配置された複数の凹部とが設けられたことを特徴とする電子機器。
【請求項６】
前記加工部は、前記外面から沈み込んだ凹面を有し、前記複数の突出部は、前記凹面からそれぞれ突出し、前記孔は前記凹面に開口したことを特徴とする請求項５に記載の電子機器。
【請求項７】
前記凹部は、前記孔と同じ断面形状を有したことを特徴とする請求項６に記載の電子機器。
【請求項８】
前記突出部の先端は前記外面よりも前記筐体の内側に位置したことを特徴とする請求項６に記載の電子機器。
【請求項９】
前記筐体は、前記筐体が置かれる載置面に対向するとともに前記外面を含む底部材を有し、前記加工部は、前記筐体の周縁部に沿って設けられたことを特徴とする請求項５に記載の電子機器。
【請求項１０】
前記筐体に収容されたスピーカをさらに具備し、
前記外面は、前記筐体の周縁部に向かうに従って前記載置面から離間する傾斜面を有し、前記加工部は、前記傾斜面に設けられ、前記孔は、前記スピーカに対応する位置に設けられたことを特徴とする請求項９に記載の電子機器。
【発明の詳細な説明】
【技術分野】
【０００１】
本発明の実施形態は、電子機器に関する。
【背景技術】
【０００２】
ポータブルコンピュータのような電子機器は、ユーザによって携行される。このような電子機器は、鞄に入れられて携行されることもあれば、直接手に持たれて携行されることもある。電子機器は、携行時に限らず、収納時のような種々の場合に手で掴まれて持たれる。
【０００３】
このような携行される電子機器は、手から滑り落ちることを防ぐための構造を備えることがある。例えば、ユーザに掴まれる部分にゴムのような摩擦の大きい部材が取り付けられたり、ユーザが掴むためのハンドルが設けられたりすることがある。
【先行技術文献】
【特許文献】
【０００４】
【特許文献１】特開平５−１０８２０１号公報
【発明の概要】
【発明が解決しようとする課題】
【０００５】
ポータブルコンピュータのような電子機器は、筐体の内部にスピーカを備えていることがある。このようなスピーカを用いるために、筐体のスピーカに対応する位置に孔が設けられる。このような電子機器は、デザインに工夫が凝らされていることがある。この場合、筐体に設けられた孔が電子機器のデザインを損ねる可能性がある。
【０００６】
本発明の目的は、滑り止めを備えるとともに筐体に設けられた孔を目立たなくできる電子機器を提供することである。
【課題を解決するための手段】
【０００７】
上記目的を達成するため、本発明の一つの実施の形態に係る電子機器は、  
筐体と、ディスプレイユニットとを具備する。前記筐体は、第１の端部と、前記第１の端部の反対方向に位置する第２の端部と、前記第２の端部に設けられたヒンジ部とを有する。前記ディスプレイユニットは、前記ヒンジ部を介して前記筐体に連結される。さらに、前記筐体は、下部カバーと、上部カバーと、凹面と、複数の突出部とを備える。前記下部カバーは、前記筐体が置かれる載置面に対向する底面と、前記底面から前記第１の端部に亘って設けられるとともに前記第１の端部に向かうに従って前記載置面から離間する傾斜面とを有する。前記上部カバーは、前記下部カバーを覆う。前記凹面は、前記傾斜面から窪んで設けられるとともに、孔と複数の凹部とが設けられる。前記突出部は、前記凹面から突出する。前記凹部は、前記孔とともに格子状に配置される。
【図面の簡単な説明】
【０００８】
【図１】本発明の第１の実施の形態に係るポータブルコンピュータの斜視図。
【図２】第１の実施の形態のポータブルコンピュータを下方向から示す斜視図。
【図３】第１の実施の形態のポータブルコンピュータを下方向から示す平面図。
【図４】第１の実施の形態のポータブルコンピュータの一部を拡大して示す平面図。
【図５】図４のＦ５−Ｆ５線に沿ってポータブルコンピュータを示す断面図。
【図６】図４のＦ５−Ｆ５線に沿ってポータブルコンピュータの断面を示す斜視図。
【図７】第１の実施の形態のバッテリロックを示す斜視図。
【図８】本発明の第２の実施の形態に係るポータブルコンピュータを下方向から示す平面図。
【図９】図８のＦ９−Ｆ９線に沿ってポータブルコンピュータを示す断面図。
【発明を実施するための形態】
【０００９】
以下に、本発明の第１の実施の形態について、図１から図７を参照して説明する。なお、本明細書において、手前側（即ちユーザ側）を前方向、ユーザから見て奥側を後方向、ユーザから見て左側を左方向、ユーザから見て右側を右方向、ユーザから見て上方を上方向、ユーザから見て下方を下方向と定義する。
【００１０】
図１は、ポータブルコンピュータ１を示す斜視図である。ポータブルコンピュータ１は、電子機器の一例である。図１に示すように、ポータブルコンピュータ１は、メインユニット３と、ディスプレイユニット４とを備えている。
【００１１】
メインユニット３は、偏平な箱状の筐体１０を備えている。筐体１０は、上部カバー１１と、下部カバー１２とを有している。下部カバー１２は、底部材の一例である。上部カバー１１は、下部カバー１２を覆うように下部カバー１２に取り付けられている。上部カバー１１は、合成樹脂によって形成されるとともに、表面に光沢のあるメタリックカラーのシートが貼り付けられている。
【００１２】
さらに、筐体１０は、第１の端部１４と、第２の端部１５とを有している。第１の端部１４は、筐体の周縁部の一例である。第１の端部１４は、筐体１０の前方向の端部である。第２の端部１５は、筐体１０の後方向の端部である。第２の端部１５は、第１の端部１４の反対方向に位置する。
【００１３】
上部カバー１１の外面１１ａに、キーボード２１と、パームレスト２２と、タッチパッド２３と、一対のボタン２４とが設けられている。パームレスト２２は、キーボード２１よりも前方向に設けられている。タッチパッド２３およびボタン２４は、パームレスト２２のほぼ中央に並んで設けられている。
【００１４】
ディスプレイユニット４は、メインユニット３の後端に一対のヒンジ部２６を介して連結されている。一対のヒンジ部２６は、筐体１０の第２の端部１５にそれぞれ設けられている。
【００１５】
ディスプレイユニット４は、ヒンジ部２６を介して筐体１０に連結されている。ディスプレイユニット４は、ヒンジ部２６を支点として、閉じ位置と開き位置との間で回動する。閉じ位置において、ディスプレイユニット４は、メインユニット３の上に横たわる。開き位置において、ディスプレイユニット４は、メインユニット３の後端から起立する。
【００１６】
ディスプレイユニット４は、偏平な箱状のディスプレイ筐体２７と、ディスプレイモジュール２８とを備えている。ディスプレイモジュール２８は、例えば液晶ディスプレイであり、ディスプレイ筐体２７に収容されている。
【００１７】
ディスプレイ筐体２７の前面にディスプレイ開口部２７ａが設けられている。ディスプレイ開口部２７ａは、ディスプレイモジュール２８のスクリーン２８ａをディスプレイユニット４の外に露出させる。
【００１８】
図２は、ポータブルコンピュータ１を下方向から示す斜視図である。図３は、ポータブルコンピュータ１を下方向から示す平面図である。図４は、ポータブルコンピュータ１の一部を拡大して示す平面図である。図２に示すように、筐体１０の第２の端部１５に、バッテリユニット３１が取り付けられている。
【００１９】
筐体１０の下部カバー１２は、底面３３と傾斜面３４と有している。底面３３は、ポータブルコンピュータ１が机などの載置面Ｓ（図５に示す）に置かれた場合に、載置面Ｓに対向する。
【００２０】
図３に示すように、底面３３に、バッテリロック３６と、４つのゴム足３７と、ストレージカバー３８とが設けられている。バッテリロック３６は、バッテリユニット３１を筐体１０に固定する。ゴム足３７は、それぞれ筐体１０を支持する。
【００２１】
ストレージカバー３８は、筐体１０に設けられた収容部を覆っている。この収容部に、ハードディスクドライブやメモリのような記憶装置が収容されている。ストレージカバー３８に、補強部３８ａが設けられている。補強部３８ａは、ストレージカバー３８から筐体１０の内部に向かって突出し、前記収容部のベースに当接している。ストレージカバー３８が押された場合、補強部３８ａがストレージカバー３８を支持する。
【００２２】
図５は、図４のＦ５−Ｆ５線に沿ってポータブルコンピュータ１の一部を示す断面図である。図５に示すように、傾斜面３４は、底面３３から第１の端部１４に亘って設けられる。傾斜面３４は、第１の端部１４に向かうに従って載置面Ｓから離間するように形成されている。
【００２３】
図４に示すように、傾斜面３４の一部に加工部４０が設けられている。加工部４０は、第１の端部１４に沿って設けられ、滑り止めとして利用される。加工部４０は、筐体１０に一体に設けられている。
【００２４】
なお、図２および図３において、加工部４０の詳細な図は省略されている。図６は、図４のＦ５−Ｆ５線に沿ってポータブルコンピュータ１の一部の断面を示す斜視図である。図４ないし図６において、加工部４０の詳細な図を示す。
【００２５】
図４に示すように、加工部４０は、凹面４１と、複数の突出部４２とを有している。凹面４１は、傾斜面３４から窪んで設けられている。言い換えると、凹面４１は、傾斜面３４から沈み込んで設けられている。
【００２６】
凹面４１に、複数の孔４４と、複数の凹部４５とが設けられている。孔４４は、凹面４１にそれぞれ開口する円形の孔である。孔４４は、加工部４０から筐体１０の内部に亘ってそれぞれ設けられる。複数の孔４４は、格子状に配置されている。
【００２７】
凹部４５は、凹面４１からそれぞれ沈み込んでいる。凹部４５は、孔４４と同じ直径を有する円形の窪みである。すなわち、凹部４５は、孔４４と同じ断面形状を有している。凹部４５は、孔４４と混在し、孔４４とともに格子状に配置されている。
【００２８】
図５に示すように、複数の突出部４２は、凹面４１から筐体１０の外部に向かってそれぞれ突出している。複数の突出部４２は、それぞれ独立して凹面４１から突出し、孔４４および凹部４５よりも小さい直径を有する円柱形の突起である。突出部４２の先端４２ａは、傾斜面３４よりも僅かに筐体１０の内側に位置している。
【００２９】
図４に示すように、複数の突出部４２は、それぞれ格子状に配置されている。突出部４２は、格子状に配置された凹部４５および孔４４を避けて配置される。
【００３０】
図５に示すように、筐体１０の内部に一対のスピーカ４７と、複数の回路基板４８とが収容されている。回路基板４８は、例えばＣＰＵのような電子部品が実装されたプリント配線板である。
【００３１】
スピーカ４７は、回路基板４８に電気的に接続されている。一対のスピーカ４７は、それぞれ孔４４に対応する位置に設けられている。スピーカ４７は、孔４４を通して筐体１０の外に向かって音声を発する。
【００３２】
図７は、バッテリロック３６を拡大して示す斜視図である。バッテリロック３６は一対のラッチ５１を有している。ラッチ５１は、スライドしてバッテリユニット３１を固定する。
【００３３】
図７に示すように、ラッチ５１の表面５１ａに、複数の突起５３と、複数の窪み５４とがそれぞれ設けられている。突起５３は、突出部４２と同様の円柱状の突起である。窪み５４は、凹部４５と同様の円形の窪みである。突起５３と窪み５４とは、協働して滑り止めとして利用される。
【００３４】
前記構成のポータブルコンピュータ１によれば、加工部４０にスピーカ４７の音声を発するための複数の孔４４が設けられる。加工部４０は、凹面４１から突出する複数の突出部４２によって滑り止めとして利用される。複数の突出部４２に複数の孔４４が紛れるため、孔４４は目立たなくなる。このように、加工部４０は、滑り止めになるとともに孔４４を目立たなくさせることができる。
【００３５】
複数の凹部４５は、複数の孔４４と混在し、孔４４とともに格子状に配置される。これにより、孔４４は複数の凹部４５に紛れるため、孔４４は目立たなくなる。さらに、複数の突出部４２がそれぞれ格子状に配置されるため、孔４４は目立たなくなる。
【００３６】
次に、本発明の第２の実施の形態について、図８および図９を参照して説明する。このとき、第１の実施形態のポータブルコンピュータ１と同一の機能を有する構成部分には同一の参照符号を付してその説明を省略する。
【００３７】
図８は、第２の実施の形態のポータブルコンピュータ１を下方向から示す平面図である。バッテリユニット３１の表面３１ａに、滑り止め部５６が設けられている。滑り止め部５６は、陥没面５７と、複数の突起５８とを有している。陥没面５７は、バッテリユニット３１の表面３１ａから窪んで設けられている。
【００３８】
陥没面５７に、複数の窪み５９が設けられている。窪み５９は、陥没面５７からそれぞれ沈み込む円形の窪みである。複数の窪み５９は、格子状に配置されている。
【００３９】
複数の突起５８は、それぞれ独立して陥没面５７から突出し、窪み５９よりも小さい直径を有する円柱形の突起である。突起５８の先端は、表面３１ａよりも僅かに筐体１０の内側に位置している。
【００４０】
図８に示すように、滑り止め部５６は、加工部４０と同様の形状に形成されている。滑り止め部５６は、孔が設けられない点で加工部４０と異なっている。すなわち、加工部４０は、孔４４が設けられている点で滑り止め部５６と異なっている。
【００４１】
下部カバー１２の底面３３に、加工部６０が設けられている。底面３３は、外部に露出した外面の一例である。
【００４２】
図９は、図８のＦ９−Ｆ９線に沿って示すポータブルコンピュータ１の断面図である。図９に示すように、加工部６０は、凹面６１と、複数の突出部６２とを有している。凹面６１は、底面３３から窪んで設けられている。言い換えると、凹面６１は、底面３３から沈み込んで設けられている。
【００４３】
凹面６１に、複数の吸気口６４と、複数の凹部６５とが設けられている。吸気口６４は、孔の一例であって、凹面６１にそれぞれ開口する円形の孔である。吸気口６４は、加工部６０から筐体１０の内部に亘ってそれぞれ設けられる。複数の吸気口６４は、格子状に配置されている。
【００４４】
凹部６５は、凹面６１からそれぞれ沈み込んでいる。凹部６５は、吸気口６４と同じ直径を有する円形の窪みである。すなわち、凹部６５は、吸気口６４と同じ断面形状を有している。凹部６５は、吸気口６４と混在し、吸気口６４とともに格子状に配置されている。
【００４５】
複数の突出部６２は、凹面６１から筐体１０の外部に向かってそれぞれ突出している。複数の突出部６２は、それぞれ独立して凹面６１から突出し、吸気口６４および凹部６５よりも小さい直径を有する円柱形の突起である。突出部６２の先端６２ａは、底面３３よりも僅かに筐体１０の内側に位置している。
【００４６】
複数の突出部６２は、それぞれ格子状に配置されている。突出部６２は、格子状に配置された凹部６５および吸気口６４を避けて配置される。
【００４７】
吸気口６４から、筐体１０の内部に空気が流入する。吸気口から流入した空気は、筐体１０の内部に設けられたファンによって、排気口から筐体１０の外部に流出する。筐体１０の内部を空気が通ることによって、筐体１０の内部に設けられた電子部品やヒートシンクが冷却される。
【００４８】
前記構成のポータブルコンピュータ１によれば、加工部６０に、冷却のための空気が流入する吸気口６４が設けられる。これにより、吸気口６４を目立たなくすることができる。さらに、加工部６０は、ユーザがポータブルコンピュータ１を持った際の滑り止めになる。
【００４９】
以上述べたように、加工部に設けられる孔は、スピーカの音声を流すための孔や冷却用の吸気口に限らず、種々の用途に応じて設けられる。例えば、加工部に設けられる孔を排気口やねじ孔として用いても良い。
【００５０】
なお、本発明は上記実施の形態に特定されるものではなく、発明の趣旨を逸脱しない範囲内で種々変更して実施可能である。例えば、加工部に設けられる突出部は円柱状に限らず、角錐状や角柱状であっても良い。さらに、加工部に設けられる孔および凹部も円形に限らず、種々の形状を適用することができる。
【００５１】
また、加工部４０は、筐体１０に一体に設けられているが、本発明はこれに限らない。例えば、合成ゴムのような摩擦の大きい材料によって形成した加工部を、筐体に取り付けても良い。さらに、加工部は筐体の下部カバーに限らず、例えばディスプレイ筐体に設けられていても良い。
【符号の説明】
【００５２】
１…ポータブルコンピュータ，４…ディスプレイユニット，１０…筐体，１１…上部カバー，１２…下部カバー，１４…第１の端部，１５…第２の端部，２６…ヒンジ部，３３…底面，３４…傾斜面，４１…凹面，４２…突出部，４４…孔，４５…凹部，Ｓ…載置面。
【図１】
2011227736.tif 000003
【図２】
2011227736.tif 000004
【図３】
2011227736.tif 000005
【図４】
2011227736.tif 000006
【図５】
2011227736.tif 000007
【図６】
2011227736.tif 000008
【図７】
2011227736.tif 000009
【図８】
2011227736.tif 000010
【図９】
2011227736.tif 000011